(57)【特許請求の範囲】
【請求項１】
内部にカードが着脱されるハウジングと、前記カードに係合され、カードの挿入及び排出方向へ回動可能となるように設けられたイジェクトアームと、このイジェクトアームが取り付けられ、前記カードと前記イジェクトアームとの係合により、前記カードの挿入及び排出に応じて、前記カードの挿入及び排出方向にスライド移動可能なスライド部材と、このスライド部材を前記カードの排出方向へ付勢する復帰ばねと、この復帰ばねの付勢力に抗して前記スライド部材を、前記カードが挿着された位置に保持する保持部材とを備え、前記イジェクトアームには第１のアーム部及び第２のアーム部を形成し、前記カードには凹部が設けられており、前記ハウジング内に前記カードを挿入するのに伴って、前記第１のアーム部と前記カードとの係合により、前記スライド部材が挿入方向にスライド移動するとともに、前記イジェクトアームが挿入方向に回動して前記第２のアーム部が前記カードの凹部と係合し、さらに前記カードを挿入していくと、前記スライド部材が前記保持部材により保持されて前記カードを挿着位置に保持するとともに、前記カードを挿着位置から排出する時、前記復帰ばねによる前記スライド部材の前記カードの排出方向へのスライド移動途中において、前記イジェクトアームの動きを規制する動作規制手段を設け、前記スライド部材が前記カードの排出位置に移動完了するまでの間、前記カードの凹部と前記第２のアーム部との係合を保持することにより前記カードの飛び出しを防止したことを特徴とするカード用コネクタ。
【請求項２】
前記動作規制手段は、前記スライド部材が前記カードの挿入方向、及び排出方向にスライド移動する途中において、前記イジェクトアームの回動を規制する回動規制部と、前記スライド部材が前記カードの排出方向の排出位置でスライド移動を停止した後、前記イジェクトアームの回動を許容する回動許容部とから構成したことを特徴とする請求項１記載のカード用コネクタ。
【請求項３】
前記スライド部材が前記カードの排出位置へ移動した時、前記スライド部材が当接して位置決めされるコイルばねを備え、前記カードを引き出すことで、前記イジェクトアームと前記スライド部材とが前記コイルばねの撓みによって排出方向に移動可能となし、この移動に伴って前記イジェクトアームが回動するようにしたことを特徴とする請求項１、又は２記載のカード用コネクタ。
【請求項４】
前記カードが前記スライド部材と共にカードの排出方向へ移動可能とし、前記スライド部材を前記カードの排出位置まで移動した時、前記カードの引き出しが可能であると共に、前記カードを前記排出位置から再度、前記カードの挿着位置へ挿着できるように、前記動作規制手段によって、前記イジェクトアームの動きを規制したことを特徴とする請求項１、又は２、又は３記載のカード用コネクタ。
【請求項５】
前記カードの挿入時には前記第１のアーム部が前記カードに係合することで前記イジェクトアームが回動され、前記カードの排出時には前記第２のアーム部が前記カードに係合することで前記イジェクトアームが回動されることを特徴とする請求項１、又は２、又は３、又は４記載のカード用コネクタ。
【請求項６】
前記動作規制手段は、前記イジェクトアームに設けられたカムピンと、このカムピンが係合するカム溝部を設けた固定部材とにより形成したことを特徴とする請求項１、又は２、又は３、又は４、または５記載のカード用コネクタ。
【請求項７】
前記固定部材を、前記ハウジング又は、このハウジングに取り付けられるフレームで形成したことを特徴とする請求項６記載のカード用コネクタ。
【請求項８】
前記カム溝部はループ状に形成され、前記スライド部材のスライド移動方向に沿って延びる第１の縦溝及びこの第１の縦溝に連設された第１の傾斜溝とからなる第１の前記回動規制部と、前記第１の傾斜溝の端部に連設され、前記第１の縦溝に平行して延びる第２の縦溝及びこの第２の縦溝に連設された第２の傾斜溝とからなる第２の前記回動規制部と、前記第２の傾斜溝の端部に連設され、前記第１の縦溝の端部と連設される横溝からなる前記回動許容部とで形成したことを特徴とする請求項６、又は７記載のカード用コネクタ。
【請求項９】
前記第１の縦溝と前記第１の傾斜溝との連設部の壁部に、前記カードを裏返し、又は逆方向に挿入した時、前記カムピンと当接して前記カムピンの挿入方向への移動を阻止するストッパー部を形成したことを特徴とする請求項８記載のカード用コネクタ。
【請求項１０】
前記カードの挿入時において、前記スライド部材は前記第１のアーム部が前記カードに係合した状態で挿入方向へ移動し、このスライド部材の移動途上において、前記カムピンが前記第１の回動規制部である前記第１の縦溝及び第１の傾斜溝に沿って移動することで、前記イジェクトアームはその動きを規制されながら回動し、前記第２のアーム部が前記カードの凹部に係合すると共に、前記スライド部材が前記保持部材によってロックされて前記カードを挿着位置に保持し、また、前記カードの排出時において、前記保持部材のロックの解除に伴い、前記スライド部材は前記第２のアーム部が前記カードに係合した状態で排出方向へ移動し、このスライド部材の移動途上において、前記カムピンが前記第２の回動規制部である前記第２の縦溝及び前記第２の傾斜溝に沿って移動することで、前記イジェクトアームはその動きを規制されながら回動し、前記カードの排出位置で前記スライド部材が前記コイルばねに当接することでその回動は停止され、前記第２のアーム部で前記カードを排出位置に保持し、前記排出位置から前記カードを引き出す時には、前記コイルばねの付勢力に抗して前記イジェクトアームと前記スライド部材がカードの排出方向へ移動した後、前記カムピンが前記回動許容部である前記横溝に沿って移動することで、前記イジェクトアームが回動され、前記第２のアーム部と前記カードの凹部との係合が外れて前記カードを排出方向へ排出できるようにしたことを特徴とする請求項８、又は９記載のカード用コネクタ。
【発明の詳細な説明】
【０００１】
【発明の属する技術分野】
本発明は、パーソナルコンピュータなどの記憶媒体などに用いられるＩＣカードや、デジタルカメラなどの電子機器などに使用されるＣＦ（コンパクトフラッショ）カードなどに使用される、カード用コネクタの構造に関する。
【０００２】
【従来の技術】
パーソナルコンピュータの増設記録装置としてＩＣカード用コネクタが一般的に使用されている。このＩＣカード用コネクタの記憶媒体としてはＩＣカードが広く使用さるようになってきている。
【０００３】
このＩＣカードをＩＣカード用コネクタに挿着して必要な情報の書き込み、及び読み取りを行うが、このＩＣカードを着脱する場合に、その操作性を向上させるために、ＩＣカード用コネクタにはＩＣカードを排出する時の排出機構を備えたものがある。
【０００４】
この従来のＩＣカードの排出機構としては、ＩＣカードを搬送するスライド部材に、ＩＣカードを挿着位置に保持させるロック機構部と、このロック機構部が解除された場合にはスライド部材を排出方向へ付勢するばね部材を設け、ＩＣカードが排出される時、このばね部材の付勢力でＩＣカードが排出方向へ押し出される構造となったものが知られている。
【０００５】
【発明が解決しようとする課題】
しかしながら、上述した従来のＩＣカード用コネクタの構造においては、スライド部材を排出方向へ付勢するばね部材の付勢力で、ＩＣカードを搬送するスライド部材と共に、ＩＣカードを排出方向へ付勢する構造となっていることから、このばね部材の付勢力で、ＩＣカードが、ＩＣカード用コネクタから外れて飛び出してしまうという問題があった。
【０００６】
また、ＩＣカードが飛び出さないように、ばね部材の付勢力を調整して弱くすることも可能であるが、ばね部材の付勢力を弱くすると、ＩＣカードを排出するための必要なストロークを確保することが難しく、ＩＣカードの取り出しが困難になるという問題があった。
【０００７】
したがって、本発明では上述した問題点を解決し、カードの排出機構を備えたカード用コネクタの構造で、スライド部材を付勢するばね部材の付勢力を弱くすることなく、ばね部材の付勢力でカードがカード用コネクタから外れて飛び出すことを防止できると共に、カードを取り出す時には容易に取り出すことができるカード用コネクタを提供することを目的とする。
【０００８】
【課題を解決するための手段】
上記課題を解決するために本発明では第１の手段として、内部にカードが着脱されるハウジングと、前記カードに係合され、カードの挿入及び排出方向へ回動可能となるように設けられたイジェクトアームと、このイジェクトアームが取り付けられ、前記カードと前記イジェクトアームとの係合により、前記カードの挿入及び排出に応じて、前記カードの挿入及び排出方向にスライド移動可能なスライド部材と、このスライド部材を前記カードの排出方向へ付勢する復帰ばねと、この復帰ばねの付勢力に抗して前記スライド部材を、前記カードが挿着された位置に保持する保持部材とを備え、前記イジェクトアームには第１のアーム部及び第２のアーム部を形成し、前記カードには凹部が設けられており、前記ハウジング内に前記カードを挿入するのに伴って、前記第１のアーム部と前記カードとの係合により、前記スライド部材が挿入方向にスライド移動するとともに、前記イジェクトアームが挿入方向に回動して前記第２のアーム部が前記カードの凹部と係合し、さらに前記カードを挿入していくと、前記スライド部材が前記保持部材により保持されて前記カードを挿着位置に保持するとともに、前記カードを挿着位置から排出する時、前記復帰ばねによる前記スライド部材の前記カードの排出方向へのスライド移動途中において、前記イジェクトアームの動きを規制する動作規制手段を設け、前記スライド部材が前記カードの排出位置に移動完了するまでの間、前記カードの凹部と前記第２のアーム部との係合を保持することにより前記カードの飛び出しを防止したことを特徴とする。
【０００９】
また、第２の手段として、前記動作規制手段は、前記スライド部材が前記カードの挿入方向、及び排出方向にスライド移動する途中において、前記イジェクトアームの回動を規制する回動規制部と、前記スライド部材が前記カードの排出方向の排出位置でスライド移動を停止した後、前記イジェクトアームの回動を許容する回動許容部とから構成したことを特徴とする。
【００１０】
また、第３の手段として、前記スライド部材が前記カードの排出位置へ移動した時、前記スライド部材が当接して位置決めされるコイルばねを備え、前記カードを引き出すことで、前記イジェクトアームと前記スライド部材とが前記コイルばねの撓みによって排出方向に移動可能となし、この移動に伴って前記イジェクトアームが回動するようにしたことを特徴とする。
【００１１】
また、第４の手段として、前記カードが前記スライド部材と共にカードの排出方向へ移動可能とし、前記スライド部材を前記カードの排出位置まで移動した時、前記カードの引き出しが可能であると共に、前記カードを前記排出位置から再度、前記カードの挿着位置へ挿着できるように、前記動作規制手段によって、前記イジェクトアームの動きを規制したことを特徴とする。
【００１２】
また、第５の手段として、前記カードの挿入時には前記第１のアーム部が前記カードに係合することで前記イジェクトアームが回動され、前記カードの排出時には前記第２のアーム部が前記カードに係合することで前記イジェクトアームが回動されることを特徴とする。
【００１３】
また、第６の手段として、前記動作規制手段は、前記イジェクトアームに設けられたカムピンと、このカムピンが係合するカム溝部を設けた固定部材とにより形成したことを特徴とする。
【００１４】
また、第７の手段として、前記固定部材を、前記ハウジング又は、このハウジングに取り付けられるフレームで形成したことを特徴とする。
【００１５】
また、第８の手段として、前記カム溝部はループ状に形成され、前記スライド部材のスライド移動方向に沿って延びる第１の縦溝及びこの第１の縦溝に連設された第１の傾斜溝とからなる第１の前記回動規制部と、前記第１の傾斜溝の端部に連設され、前記第１の縦溝に平行して延びる第２の縦溝及びこの第２の縦溝に連設された第２の傾斜溝とからなる第２の前記回動規制部と、前記第２の傾斜溝の端部に連設され、前記第１の縦溝の端部と連設される横溝からなる前記回動許容部とで形成したことを特徴とする。
【００１６】
また、第９の手段として、前記第１の縦溝と前記第１の傾斜溝との連設部の壁部に、前記カードを裏返し、又は逆方向に挿入した時、前記カムピンと当接して前記カムピンの挿入方向への移動を阻止するストッパー部を形成したことを特徴とする。
【００１７】
また、第１０の手段として、前記カードの挿入時において、前記スライド部材は前記第１のアーム部が前記カードに係合した状態で挿入方向へ移動し、このスライド部材の移動途上において、前記カムピンが前記第１の回動規制部である前記第１の縦溝及び第１の傾斜溝に沿って移動することで、前記イジェクトアームはその動きを規制されながら回動し、前記第２のアーム部が前記カードの凹部に係合すると共に、前記スライド部材が前記保持部材によってロックされて前記カードを挿着位置に保持し、また、前記カードの排出時において、前記保持部材のロックの解除に伴い、前記スライド部材は前記第２のアーム部が前記カードに係合した状態で排出方向へ移動し、このスライド部材の移動途上において、前記カムピンが前記第２の回動規制部である前記第２の縦溝及び前記第２の傾斜溝に沿って移動することで、前記イジェクトアームはその動きを規制されながら回動し、前記カードの排出位置で前記スライド部材が前記コイルばねに当接することでその回動は停止され、前記第２のアーム部で前記カードを排出位置に保持し、前記排出位置から前記カードを引き出す時には、前記コイルばねの付勢力に抗して前記イジェクトアームと前記スライド部材がカードの排出方向へ移動した後、前記カムピンが前記回動許容部である前記横溝に沿って移動することで、前記イジェクトアームが回動され、前記第２のアーム部と前記カードの凹部との係合が外れて前記カードを排出方向へ排出できるようにしたことを特徴とする。
【００１８】
【発明の実施の形態】
以下、本発明の１実施例を図１乃至図２７に示す。図１は本発明のカード用コネクタにカードを挿入した状態を示す説明図、図２は図１の断面図、図３はハウジングの平面図、図４は同じく正面図、図５はカードの平面図、図６は同じく底面図、図７はスライドユニット部の平面図、図８はスライド部材の平面図、図９は同じく側面図、図１０はイジェクトアームの平面図、図１１は同じく底面図、図１２はイジェクト機構部の平面図、図１３はフレームの平面図、図１４は同じく側面図、図１５は保持部材の平面図、図１６は同じく側面図、図１７はカム溝部の平面図である。
【００１９】
図において、ハウジング１は、合成樹脂などの絶縁材で形成されており、このハウジング１には、内部に後述するカード３が挿入され収納される収納部１ａが設けられている。この収納部１ａの内底部には、導電性の金属材からなる複数の接触端子２ａが配設されており、この接触端子２ａの他端側は、前記ハウジング１の外方へ導出されて、図示しない外部の回路基板などの回路パターンと接続される接続端子２ｂが形成されている。
【００２０】
前記ハウジング１の一端側には、後述するフレーム４と係合してフレーム４を前記ハウジング１に取付けるための取付用凹部１ｂが形成されている。また、この取付用凹部１ｂに近接して、前記ハウジング１の一端側には切り欠き部１ｃが設けられており、この切り欠き部１ｃを設けることにより、後述するイジェクトアーム８の回動時に、このイジェクトアーム８の各アーム部８ａ、８ｂの回動を妨げないようにしている。
【００２１】
カード３は、内部に集積回路（ＩＣ）が収納されており、記録媒体として広く使用されているものである。このカード３の底面側には、その一端側に複数の接点部３ａが形成されており、この接点部３ａが前記ハウジング１の収納部１ａに設けられた複数の接触端子２ａと接触することにより、外部に接続された電子機器との種々の情報処理が行われるものとなっている。
また、前記カード３には、その一側部に、後述するイジェクトアーム８の第２のアーム部８ｂが係合される凹部３ｂが設けられている。
【００２２】
フレーム４は、合成樹脂などの絶縁材で略方形に形成されており、このフレーム４の先端部には、前記ハウジング１の前記取付用凹部１ｂに係合して、前記ハウジング１と一体的に取付けられる、取付用突部４ａを有する取付腕部４ｂが設けられている。また、このフレーム４の略中央部には凹状の平坦部４ｃが設けられており、この平坦部４ｃに後述するスライド部材７が配設されるものとなっている。この平坦部４ｃの下端部には、後述するコイルばね９の一端が係止される係止突部４ｄが設けられており、中央側面部にはスライド部材７の復帰用の復帰ばね５を係止するフック部４ｅが設けられている。また、前記平坦部４ｃの下端側には、後述する保持部材６を係止する係止軸４ｆが設けられたものとなっている。
【００２３】
また、前記平坦部４ｃにはループ状のカム溝部４ｇが設けられている。このカム溝部４ｇは、後述するスライド部材７のスライド移動方向に沿って直線状に延びる第１の縦溝４ｇａと、この第１の縦溝４ｇａに平行して同じく直線状に延びる第２の縦溝４ｇｂと、前記第１、第２の縦溝４ｇａ、４ｇｂの一端側に連設されると共に、前記第１の縦溝４ｇａ側から前記第２の縦溝４ｇｂの方向に斜めに延びる第１の傾斜溝４ｇｃと、第２の縦溝４ｇｂの他端側に連設され、前記第１の傾斜溝４ｇｃと対向する方向に延びる第２の傾斜溝４ｇｄと、この第２の傾斜溝４ｇｄの他端側から前記第１の縦溝４ｇａの他端側へ向かって平行に延びる横溝４ｇｅとでお互いの端部が連設されてループ状となるように形成されたものとなっている。
また、前記第１の縦溝４ｇａと前記第１の傾斜溝４ｇｃとの連設部の壁部には、前記カード３を裏返し、又は逆方向に挿入した時、後述するカムピン８ｄと当接してカムピン８ｄの挿入方向への移動を阻止するためのストッパー部４ｇｆが設けられている。
【００２４】
保持部材６は合成樹脂などの絶縁材で形成されており、この保持部材６の中央には、前記フレーム４の係止軸４ｆに係止される係止孔６ａが設けられている。この係止孔６ａを挟んで先端部には、後述するスライド部材７に当接しスライド部材７をロックするロック片６ｂが設けられ、このロック片６ｂの反対側には、ロックを解除する時に操作するための操作部６ｃが設けられている。また、中央部には前記保持部材６を自己復帰させるためのアームばね６ｄが一体に形成されている。
【００２５】
スライド部材７は合成樹脂などの絶縁材で略方形に形成されており、このスライド部材７の先端側には、前記フレーム４に係止される前記復帰ばね５の一端側が係止されるフック部７ａが形成されている。このフック部７ａの反対側には、前記保持部材６に設けられた前記ロック片６ｂが係合するロック用凹部７ｂが設けられている。また、このスライド部材７の略中央部には開口部７ｃが設けられており、この開口部７ｃの中央には、後述するイジェクトアーム８が回動可能に取付けられる軸部７ｄが突出して設けられている。また、この開口部７ｃの下側には後述するコイルばね９が係合され保持される棒状のばね保持部７ｅが設けられており、また、前記開口部７ｃの一端側には後述するカムピン８ｄが貫通される貫通孔７ｆが設けられている。
前記スライド部材７は、前記フレーム４の平坦部４ｃ内に配設され、前記復帰ばね５によって、前記フレーム４上を上下方向、即ち前記カード３の挿入、排出方向へ移動可能となるように取り付けられたものとなっている。
【００２６】
イジェクトアーム８は、合成樹脂などの絶縁材で略円盤状に形成されており、このイジェクトアーム８には、円盤状の外形から外方へ延出された、第１及び第２のアーム部８ａ、８ｂが形成されている。この第１のアーム部８ａは、前記カード３の挿入時に、前記カード３の前端部に係合されるように設けられている。また、前記第２のアーム部８ｂは、その先端部の形状が略円形とされており、前記カード３の一側部に形成された凹部３ｂと係合され、この凹部３ｂ内を回動しながら係脱されるように設けられている。
【００２７】
前記イジェクトアーム８には、その中央部に、軸孔８ｃが設けられており、この軸孔８ｃが、前記スライド部材７に形成された前記軸部７ｄに挿通され、スナップフィットされることにより、前記イジェクトアーム８は、前記軸部７ｄの回りに回動可能となるように取付けられるものとなっている。また、前記イジェクトアーム８の一側面部には、前記フレーム４に設けられた前記カム溝部４ｇ内を移動するピン状のカムピン８ｄが設けられている。
【００２８】
コイルばね９は、金属線材からなる圧縮ばねで、前記フレーム４の係止突部４ｄと前記スライド部材７のばね保持部７ｅとの間に介在され、前記スライド部材７がカードの排出方向に移動した時のストッパーとしての役目と、前記スライド部材７を挿入方向へ付勢する付勢部材としての役目とを兼ね備えている。
【００２９】
次に、上述したカード用コネクタの動作を図１８乃至図２７で説明する。
図１８乃至図２６は、本発明のカード用コネクタの挿入／排出時の動作状態を示す説明図で、図１８はハウジングにカードを挿入する初期の状態を示す説明図、図１９はカードの挿入途上の状態を示す説明図、図２０は同じくカードの挿入途上でカードが第２のアーム部と係合した状態を示す説明図、図２１はカードの挿入が終了した状態を示す説明図、図２２は同じくカードの挿入終了時でスライド部材がロックされた状態を示す説明図、図２３はロックされたスライドを解除しカードが排出位置まで排出された状態を示す説明図、図２４はカードの排出位置からカードを手前に引いた状態を示す説明図、図２５はカードの排出途上でイジェクトアームが排出方向へ回動する状態を示す説明図、図２６はカードと第２のアーム部との係合が外れてカードを排出する状態を示す説明図であり、また、図２７はカードの挿入時にカードを裏返して挿入した状態を示す説明図である。
【００３０】
まず、前記ハウジング１の収納部１ａに前記カード３を挿入する。この時、前記イジェクトアーム８の前記第１のアーム部８ａが前記カード３の前端部に当接し、前記第１のアーム部８ａはカードの挿入方向に押圧されることになる。（図１８）
【００３１】
この時、前記イジェクトアーム８のカムピン８ｄは、前記フレーム４の前記カム溝部４ｇによりその動きが規制されていることから、前記第１のアーム部８ａはカードの挿入方向へは回動されずに、前記スライド部材７は前記復帰ばね５の付勢力に抗してカードの挿入方向へ移動する。この時、前記イジェクトアーム８に設けられた前記カムピン８ｄが前記フレーム４に設けられた前記カム溝部４ｇ内を移動することとなり、前記第１の縦溝４ｇａ、及び前記第１の傾斜溝４ｇｃに沿って前記カムピン８ｄはカードの挿入方向へ移動する。この時、前記カムピン８ｄが前記第１の傾斜溝４ｇｃに沿って移動する途中において、前記イジェクトアーム８はカードの挿入方向へ規制された状態で一定距離だけ回動する。（図１９）
【００３２】
更に、前記復帰ばね５の付勢力に抗して前記カード３を挿入方向に押圧すると、前記スライド部材７はカードの挿入方向へ移動し、前記カムピン８ｄは、前記第１の傾斜溝４ｇｃから前記第２の縦溝４ｇｂへと移動する。この時、前記イジェクトアーム８はカードの挿入方向へ一定距離だけ回動し、この回動により前記第２のアーム部８ｂが前記カード３の凹部３ｂに係合する。この時、前記カード３の前記接点部３ａは前記ハウジング１の接触端子２ａと接触される。（図２０）
【００３３】
次に、更に前記カード３を挿入方向に押圧すると、前記カムピン８ｄは、更に前記第２の縦溝４ｇｂに沿ってカードの挿入方向へ移動し、前記カード３が前記ハウジング１の収納部１ａの内縁部に当接した時点で挿入が停止され、前記カード３の前記ハウジング１への挿着が完了する。これに伴い前記スライド部材７及び前記イジェクトアーム８の移動も停止される。この時、前記保持部材６の前記ロック片６ｂは前記スライド部材７のロック用凹部７ｂ内に位置されている。（図２１）
【００３４】
次に、前記カード３への押圧を解除すると、前記スライド部材７は前記復帰ばね５の付勢力により、カードの排出方向へ僅かだけ戻され、この時、前記ロック用凹部７ｂが前記ロック片６ｂと係合することでその位置に前記スライド部材７がロックされる。この時前記カムピン８ｄは、前記カム溝部４ｇの前記第２の縦溝の中央部に位置している。（図２２）
【００３５】
このように、前記カード３の挿入時に、前記スライド部材７がカードの挿入方向へ移動してロックされるまで前記イジェクトアーム８の回動が前記カム溝部４ｇにより規制されることから、前記カード３の挿入作業が確実に行えるものとなっている。
【００３６】
次に、前記ハウジング１に挿着した前記カード３を排出する場合には、前記カード３の挿着状態（図２２）から、前記保持部材６の操作部６ｃを指等で押すと、前記保持部材６に設けられた前記ロック片６ｂが、前記スライド部材７のロック用凹部７ｂから外れ、前記スライド部材７は前記復帰ばね５の付勢力によりカードの排出方向へと移動される。この時、前記カムピン８ｄは前記第２の縦溝４ｇｂ及び前記第２の傾斜溝４ｇｄに沿って、前記横溝４ｇｅとの連設部の方向へ移動されることとなり、前記イジェクトアーム８はその回動が規制された状態で前記スライド部材と共にカードの排出方向へ移動する。そして、前記コイルばね９の端部に前記スライド部材７の前記ばね保持部７ｅの基部が当接することにより、前記スライド部材の移動が停止され、前記カード３は排出位置に停止されるものとなる。（図２３）
【００３７】
この時、前記第２のアーム８ｂは、前記カード３の凹部３ｂに係合しており、前記カムピン８ｄは前記傾斜溝４ｇｄでその回動が規制されていることから、前記カード３は、前記第２のアーム部８ｂに係合された状態で前記スライド部材７と共に排出方向へ移動することとなる。この時、前記カード３の前記接点部３ａは前記ハウジング１の接触端子２ａとの接触が解除される。（図２３）
【００３８】
この場合、前記カード３は、前記凹部３ｂに前記第２のアーム部８ｂが係合され、前記カムピン８ｄは前記第２の縦溝４ｇｂ及び前記第２の傾斜溝４ｇｄでその回動が規制されていることから、カードの挿着状態からカードの排出方向へ前記スライド部材７が移動する途中において、前記カード３が前記ハウジング１の収納部１ａから飛び出すことを防止することができる。
【００３９】
次に、この状態から更に前記カード３を引き出すと、前記スライド部材７は前記コイルばね９の付勢力に抗して手前側に移動し、前記カムピン８ｄは前記第２の縦溝４ｇｂに沿って前記横溝４ｇｅの方向へ移動し、前記イジェクトアーム８はカードの排出方向へ回動が可能な状態となる。（図２４）
【００４０】
更に、この状態から前記カード３を引き出すと、前記カムピン８ｄは前記横溝４ｇｅに沿って前記第１の縦溝４ｇａとの連設部の方向へ移動することから、前記イジェクトアーム８は、前記カード３の排出方向へ回動される。（図２５）
【００４１】
この時、前記イジェクトアーム８のカードの排出方向への回動に伴って、前記第２のアーム部８ｂは、前記カード３の前記凹部３ｂとの係合が外れることとなり、前記カード３は前記ハウジング１の前記収納部１ａから排出される。この時、前記スライド部材７は、前記コイルばね９の付勢力でカードの挿入方向へ移動し、前記カムピン８ｄは前記第１の縦溝４ｇａに沿ってカードの挿入方向へ移動し初期の状態の位置に戻るものとなる。（図２６）
【００４２】
次に、前記スライド部材７のロックを解除した後、カードを引き出さずに、カードの排出位置から再度、カードを挿入する場合には、前記カード３の排出位置の状態（図２３）から、前記カード３を指等で押圧してやると、前記イジェクトアーム８の前記第１のアーム部８ａが前記カード３の前端部に当接し、前記第１のアーム部８ａはカードの挿入方向に押圧されることになる。この時、前記カムピン８ｄは、前記第２の傾斜溝４ｇｄにあり、この前記第２の傾斜溝４ｇｄ及びこれに連設された前記第２の縦溝４ｇｂによって図示右方向への回動が規制されていることから、前記カムピン８ｄは、前記第２の傾斜溝４ｇｄ及び前記第２の縦溝４ｇｂに沿ってカードの挿入方向へ移動する。
【００４３】
そして、前記カード３が前記ハウジング１の収納部１ａの内縁部に当接した時点で挿入が停止され、前記カード３の前記ハウジング１への挿着が完了する。これに伴い前記スライド部材７及び前記イジェクトアーム８の移動も停止される。この時、前記保持部材６の前記ロック片６ｂは前記スライド部材７のロック用凹部７ｂ内に位置されている。（図２１）
【００４４】
次に、前記カード３への押圧を解除すると、前記スライド部材７は前記復帰ばね５の付勢力により、カードの排出方向へ僅かだけ戻され、この時、前記ロック用凹部７ｂが前記ロック片６ｂと係合することでその位置に前記スライド部材７がロックされる。この時、前記カムピン８ｄは、前記カム溝部４ｇの前記第２の縦溝の中央部に位置している。（図２２）
【００４５】
このように、前記カード３の排出位置からの再挿入時にも、前記スライド部材７がカードの挿入方向へ移動してロックされるまで前記イジェクトアーム８の回動が前記カム溝部４ｇにより規制されることから、前記カード３の挿入作業が確実に行えるものとなっている。
【００４６】
図２７は、カードの挿入時にカードを誤って裏返して挿入した状態を示しており、前記カード３に設けられた凹部３ｂは、前記イジェクトアーム８の取り付け位置とは反対側（図示左側）に位置している。この場合、前記カード３の挿入途上において、前記第２のアーム部８ｂが前記凹部３ｂと係合することができず、前記イジェクトアーム８は、その回動を阻止されたままカードの挿入方向へ移動することとなる。この時、前記カムピン８ｄは前記第１の縦溝４ｇａに沿って移動するが、前記第１の傾斜溝４ｇｃとの連設部において前記傾斜溝４ｇｃの方向へは移動することができず、前記連設部の壁部に設けられたストッパー部４ｇｆによりカードの挿入方向へのそれ以上の移動が阻止されるものとなる。
【００４７】
この場合、これ以上前記カード３を挿入方向へ挿入できないことから、前記ハウジング１に配設された接触端子２ａを誤って破損することを防止できる。
また、この状態では、前記スライド部材７は前記保持部材６にロックされる位置まで移動されないことから、前記カード３への押圧を止めれば、前記カード３は前記復帰ばね５の復帰力によりカードの挿入初期位置まで戻ってくるため、誤挿入を容易に判断することが可能となっている。
【００４８】
尚、上記実施例においては、前記接点部３ａ、前記接触端子２ａが面接点タイプのカード用コネクタで説明したが、ピン／ソケットタイプのＩＣカード用コネクタにも適用できる。
【００４９】
また、上記実施例では、前記保持部材６を直接人間の指で操作する構造としたが、例えばモーターやソレノイドなどの動力を用いてオートイジェクトさせる構成のカード用コネクタにも適用できるのはもちろんである。
【００５０】
【発明の効果】
以上説明したように、本発明のカード用コネクタは、イジェクトアームをカードの挿入及び排出方向にスライド移動可能なスライド部材に取り付けると共に、スライド部材のスライド移動途中において、イジェクトアームとカードとの係合が外れないように、イジェクトアームの動きを規制する動作規制手段を設けたことから、カードの挿入作業が確実に行え、かつ、カードの挿着状態からカードの排出方向へスライド部材が移動する途中において、カードがハウジングの収納部から飛び出すことを防止できる。
【００５１】
また、動作規制手段は、スライド部材がカードの挿入方向、及び排出方向にスライド移動する途中において、イジェクトアームの回動を規制する回動規制部と、スライド部材がカードの排出方向の排出位置でスライド移動を停止した後、イジェクトアームの回動を許容する回動許容部とから構成したことから、簡単な構造でカードの挿入／排出操作が確実に行える。
【００５２】
また、スライド部材がカードの排出位置へ移動した時、スライド部材が当接して位置決めされるコイルばねを備え、カードを引き出すことで、イジェクトアームとスライド部材とがコイルばねの撓みによって排出方向に移動可能となし、この移動に伴ってイジェクトアームが回動するようにしたことから、スライド部材が排出位置に停止する際のイジェクトアームに作用する衝撃を緩和することができるため、第２のアーム部がカードの凹部から外れるのを防止できる。また、カードの飛び出しを防止できる。
【００５３】
また、カードがスライド部材と共にカードの排出方向へ移動可能とし、スライド部材をカードの排出位置まで移動した時、カードの引き出しが可能であると共に、カードを排出位置から再度、カードの挿着位置へ挿着できるように、動作規制手段によって、イジェクトアームの動きを規制したことから、カードを引き出さずに再度挿入作業が可能となり、作業性が向上される。
【００５４】
また、イジェクトアームには第１及び第２のアーム部を形成し、カードの挿入時には第１のアーム部がカードに係合することでイジェクトアームが回動され、カードの排出時には第２のアーム部がカードに係合することでイジェクトアームが回動されることから、ハウジングへのカードの挿入／排出作業を容易とすることができ、操作が確実に行える。
【００５５】
また、動作規制手段は、イジェクトアームに設けられたカムピンと、このカムピンが係合するカム溝部を設けた固定部材とにより形成したことから、簡易な構造で確実な動作が得られる。
【００５６】
また、固定部材を、ハウジング又は、このハウジングに取り付けられるフレームで形成したことから、構成が簡単で廉価対応が可能となる。
【００５７】
また、カム溝部はループ状に形成され、スライド部材のスライド移動方向に沿って延びる第１の縦溝及びこの第１の縦溝に連設された第１の傾斜溝とからなる第１の回動規制部と、第１の傾斜溝の端部に連設され、第１の縦溝に平行して延びる第２の縦溝及びこの第２の縦溝に連設された第２の傾斜溝とからなる第２の回動規制部と、第２の傾斜溝の端部に連設され、第１の縦溝の端部と連設される横溝からなる回動許容部とで形成したことから、簡単な構造でカードの挿入／排出操作が確実に行える。
【００５８】
また、第１の縦溝と第１の傾斜溝との連設部の壁部に、カードを裏返し、又は逆方向に挿入した時、カムピンと当接してカムピンの挿入方向への移動を阻止するストッパー部を形成したことから、ハウジングに配設された接触端子を誤って破損することを防止できる。また、誤挿入を容易に判断することが可能となる。
【００５９】
また、カードの挿入時において、スライド部材は第１のアーム部がカードに係合した状態で挿入方向へ移動し、このスライド部材の移動途上において、カムピンが第１の回動規制部である第１の縦溝及び第１の傾斜溝に沿って移動することで、イジェクトアームはその動きを規制されながら回動し、第２のアーム部がカードの凹部に係合すると共に、スライド部材が保持部材によってロックされてカードを挿着位置に保持し、また、カードの排出時において、保持部材のロックの解除に伴い、スライド部材は第２のアーム部がカードに係合した状態で排出方向へ移動し、このスライド部材の移動途上において、カムピンが第２の回動規制部である第２の縦溝及び前記第２の傾斜溝に沿って移動することで、イジェクトアームはその動きを規制されながら回動し、カードの排出位置でスライド部材がコイルばねに当接することでその回動は停止され、第２のアーム部でカードを排出位置に保持し、排出位置からカードを引き出す時には、コイルばねの付勢力に抗してイジェクトアームとスライド部材がカードの排出方向へ移動した後、カムピンが回動許容部である横溝に沿って移動することで、イジェクトアームが回動され、第２のアーム部とカードの凹部との係合が外れてカードを排出方向へ排出できるようにしたことから、カムピンとカム溝部との係合構造の組み合わせでイジェクトアームの回動を規制することにより、簡単な構造でカードの挿入／排出操作を確実に行うことができる。
【図面の簡単な説明】
【図１】本発明の１実施例であるカード用コネクタにカードを挿入した状態を示す説明図である。
【図２】本発明の同じく図１の断面図である。
【図３】本発明の同じくハウジングを示す平面図である。
【図４】本発明の同じくハウジングを示す正面図である。
【図５】本発明の同じくカードを示す平面図である。
【図６】本発明の同じくカードを示す底面図である。
【図７】本発明の同じくスライドユニット部を示す平面図である。
【図８】本発明の同じくスライド部材を示す平面図である。
【図９】本発明の同じくスライド部材を示す側面図である。
【図１０】本発明の同じくイジェクトアームを示す平面図である。
【図１１】本発明の同じくイジェクトアームを示す底面図である。
【図１２】本発明の同じくイジェクト機構部を示す平面図である。
【図１３】本発明の同じくフレームを示す平面図である。
【図１４】本発明の同じくフレームを示す側面図である。
【図１５】本発明の同じく保持部材を示す平面図である。
【図１６】本発明の同じく保持部材を示す側面図である。
【図１７】本発明の同じくカム溝部を示す平面図である。
【図１８】本発明のハウジングにカードを挿入する初期の状態を示す説明図である。
【図１９】本発明の同じくカードの挿入途上の状態を示す説明図である。
【図２０】本発明の同じくカードの挿入途上でカードが第２のアーム部と係合した状態を示す説明図である。
【図２１】本発明のカードの挿入が終了した状態を示す説明図である。
【図２２】本発明の同じくカードの挿入終了時でスライド部材がロックされた状態を示す説明図である。
【図２３】本発明のロックされたスライドを解除しカードが排出位置まで排出された状態を示す説明図である。
【図２４】本発明のカードの排出位置からカードを手前に引いた状態を示す説明図である。
【図２５】本発明のカードの排出途上でイジェクトアームが排出方向へ回動する状態を示す説明図である。
【図２６】本発明のカードと第２のアーム部との係合が外れてカードを排出する状態を示す説明図である。
【図２７】本発明のカードの挿入時にカードを裏返して挿入した状態を示す説明図である。
【符号の説明】
１  ハウジング
１ａ  収納部
１ｂ  取付用凹部
１ｃ  切り欠き部
２ａ  接触端子
２ｂ  接続端子
３  カード
３ａ  接点部
３ｂ  凹部
４  フレーム（固定部材）
４ａ  取付用突部
４ｂ  取付腕部
４ｃ  平坦部
４ｄ  係止突部
４ｅ  フック部
４ｆ  係止軸
４ｇ  カム溝部
４ｇａ  第１の縦溝（第１の回動規制部）
４ｇｂ  第２の縦溝（第２の回動規制部）
４ｇｃ  第１の傾斜溝（第１の回動規制部）
４ｇｄ  第２の傾斜溝（第２の回動規制部）
４ｇｅ  横溝（回動許容部）
４ｇｆ  ストッパー部
５  復帰ばね
６  保持部材
６ａ  係止孔
６ｂ  ロック片
６ｃ  操作部
６ｄ  アームばね
７  スライド部材
７ａ  フック部
７ｂ  ロック用凹部
７ｃ  開口部
７ｄ  軸部
７ｅ  ばね保持部
７ｆ  貫通孔
８  イジェクトアーム
８ａ  第１のアーム部
８ｂ  第２のアーム部
８ｃ  軸孔
８ｄ  カムピン
９  コイルばね
【図１】
0003853116.tif 000002
【図２】
0003853116.tif 000003
【図３】
0003853116.tif 000004
【図４】
0003853116.tif 000005
【図５】
0003853116.tif 000006
【図６】
0003853116.tif 000007
【図７】
0003853116.tif 000008
【図８】
0003853116.tif 000009
【図９】
0003853116.tif 000010
【図１０】
0003853116.tif 000011
【図１１】
0003853116.tif 000012
【図１２】
0003853116.tif 000013
【図１３】
0003853116.tif 000014
【図１４】
0003853116.tif 000015
【図１５】
0003853116.tif 000016
【図１６】
0003853116.tif 000017
【図１７】
0003853116.tif 000018
【図１８】
0003853116.tif 000019
【図１９】
0003853116.tif 000020
【図２０】
0003853116.tif 000021
【図２１】
0003853116.tif 000022
【図２２】
0003853116.tif 000023
【図２３】
0003853116.tif 000024
【図２４】
0003853116.tif 000025
【図２５】
0003853116.tif 000026
【図２６】
0003853116.tif 000027
【図２７】
0003853116.tif 000028